(57)【要約】【課題】歯並びに歯茎の洗浄において、非接触箇所の発生をなくし、歯並びに歯茎のすべての表面及び隙間の洗浄を確実に実現させるための方法と治具を具現化させることを課題とする。【解決の手段】歯が入ることが可能な凹部１２を有し凹部１２に２つ以上の噴出孔１４を備えた洗浄具頭部１１を用いることにより、口内にて歯及び歯茎の前後面及び歯先部に、２つ以上の噴出孔１４より噴出される液体を一度に当て、歯及び歯茎の洗浄を行うとともに、凹部１２面に排出孔１８を設けることにより、噴出された液体と洗浄廃液を口内から口外へ排出させ、口内での水流を用いた洗浄の安全性を確保し、歯並びに歯茎のすべての表面、隙間の洗浄において、非接触箇所の発生をなくし、歯並びに歯茎のすべての表面、隙間の洗浄を確実に行うことを可能にする。【選択図】図１
2006020887.tif 000002
【特許請求の範囲】
【請求項１】
口に咥えることが可能な大きさの洗浄具において、この洗浄具の洗浄具頭部（１１）に歯が入ることが可能な凹部を有し、この凹部面に２つ以上の孔を有すると共に、凹部以外の外面に１つ以上の孔を有し、凹部面の孔と凹部以外の外面の孔とが洗浄具頭部（１１）の内部において繋がった状態にあり、外面の孔から液体が入り凹部面の孔から液体が噴出されることを特徴とする歯及び歯茎を洗浄するための洗浄具。
【請求項２】
洗浄具頭部（１１）の凹部が歯並び状のＵ字の溝になっていることを特徴とする前掲請求項１に記載の歯及び歯茎を洗浄するための洗浄具。
【請求項３】
Ｕ字の溝が、洗浄具頭部（１１）の上下２面に構成されていることを特徴とする前掲請求項２に記載の歯及び歯茎を洗浄するための洗浄具。  
【請求項４】
洗浄具頭部（１１）の凹部以外の外面に２つ以上の孔を有し、洗浄具頭部（１１）の内部において、外面の孔と凹部面の孔が独立して繋がった経路を２経路以上有し、外面の孔から液体が入り凹部面の孔から液体が噴出される経路と、凹部の孔から洗浄廃液を取り込み洗浄具頭部（１１）の外面の孔から排出する経路とを有することを特徴とする前掲請求項１から３のいずれかに記載の歯及び歯茎を洗浄するための洗浄具。
【請求項５】
洗浄具頭部（１１）の前面（Ａ）後面（Ｂ）にそれぞれ孔部を有し、この孔部が洗浄具頭部（１１）の内部において繋がった構造を有することを特徴とする前掲請求項１から４のいずれかに記載の歯及び歯茎を洗浄するための洗浄具。
【発明の詳細な説明】
【技術分野】
【０００１】
本発明は、水等の液体を歯並びに歯茎に噴出し、歯並びに歯茎を洗浄する治具に関するものである。
【背景技術】
【０００２】
特許公開公報（例えば、特許文献１参照）に歯を同時に磨く方法としてブラシによる洗浄ブラシが開示されている。
【特許文献１】特開２００３−１８０７１８号公報（請求項１）。
【発明の開示】
【発明が解決しようとする課題】
【０００３】
歯及び歯茎洗浄方法として、歯ブラシによるブラッシングが一般的であるが、ブラッシングによると歯及び歯茎洗浄において、どうしても非接触箇所が発生し、非接触箇所に洗浄残りが発生するという問題点が存在していた。
【０００４】
また、歯を磨く方法として公開されている「特開２００３−１７０７１８号公報」においては、歯の表裏を同時に磨く方法を公開しているが、ブラシという固体を接触させることによる洗浄を定義したにすぎず、接する箇所のみ洗浄され接しない箇所は洗浄されないという問題点は残ったままであった。
【０００５】
また、歯の治療現場においては、水又は空気にて、一つのズルからの放水（放風）により、治療箇所への洗浄を行っているものの、治療で使用する洗浄具は、本人以外の人が洗浄部が良く見える状態において機能する洗浄具であると共に、洗浄時に発生する水の排出機能を持たず、別器具による排出を行っており、あくまでも、医師が治療のために使用するための機能を優先した洗浄具であり、日常生活の中で、毎日行う歯の保全行為の洗浄具としての機能は持ち合わせていなかった。
【０００６】
そこで本発明は、歯並びに歯茎の洗浄において、非接触箇所をなくし、歯並びに歯茎のすべての表面及び隙間の洗浄を確実に実現させるための方法と治具を具現化させることを課題とする。
【課題を解決するための手段】
【０００７】
本発明に係る歯及び歯茎を洗浄する洗浄具は、口に咥えることが可能な大きさの洗浄具であり、この洗浄具の洗浄具頭部１１に歯が入ることが可能な凹部を有し、この凹部面に２つ以上の孔を有すると共に、凹部以外の外面に１つ以上の孔を有し、凹部面の孔と凹部以外の外面の孔とが洗浄具頭部１１の内部において繋がった状態にあり、外面の孔から液体が入り凹部面の孔から液体が噴出されることを第１の特徴とする。
【０００８】
本発明に係る歯及び歯茎を洗浄する洗浄具の第２の特徴は、洗浄具頭部１１の凹部が歯並び状のＵ字の溝になっている点にある。
【０００９】
本発明に係る歯及び歯茎を洗浄する洗浄具の第３の特徴は、Ｕ字の溝が洗浄具頭部１１の上下２面に構成されている点にある。
【００１０】
本発明に係る歯及び歯茎を洗浄する洗浄具の第４の特徴は、洗浄具頭部１１の凹部以外の外面に２つ以上の孔を有し、洗浄具頭部１１内部において、外面の孔と凹部面の孔が独立して繋がった経路を２経路以上有し、外面の孔から液体が入り、凹部面の孔から液体が噴出される経路と、凹部の孔から洗浄廃液を取り込み洗浄具頭部１１の外面の孔から排出する経路とを有する点にある。
【００１１】
本発明に係る歯及び歯茎を洗浄する洗浄具の第５の特徴は、洗浄具頭部１１の前面Ａ、後面Ｂにそれぞれ孔部を有し、この孔部が洗浄具頭部１１の内部において繋がった構造を有する点にある。
【発明の効果】
【００１２】
本発明によると、歯及び歯茎の前後面及び歯先部に、２つ以上の孔より噴出される液体を一度に当てることにより、歯及び歯茎に満遍なく液体を接触させることが可能となり、従来ブラシを用いた歯及び歯茎洗浄方法において非接触箇所となりやすい歯の隙間等に関しても、確実に洗浄でき、歯及び歯茎の日々の保全に大きく貢献できる。
【００１３】
また、本発明では、洗浄具の凹部を歯並び状のＵ字の溝とする構造、Ｕ字の溝を洗浄具の上下面に構成する構造により、すべての歯及び歯茎に満遍なく液体を接触させることが可能となり、洗浄のテクニックを要せずとも、ブラシの洗浄で洗浄しずらかった奥歯の裏側並びに奥歯の隙間の洗浄を確実に行うことができ、簡単で安定した歯及び歯茎の洗浄が可能となる。
【００１４】
また、本発明によると、洗浄具の凹部以外の外面に２つ以上の孔を有し、洗浄具内部において、外面の孔と凹部面の孔が独立して繋がった経路が２経路以上存在し、外面の孔から液体が入り、凹部面の孔から液体が噴出される経路と、洗浄廃液を凹部の孔から、洗浄具外面の孔を経由し排出する経路とを有する構造、あるいは、洗浄具頭部１１の前面Ａ、後面Ｂにそれぞれ孔部を有し、この孔部が洗浄具頭部１１の内部において繋がった構造であることにより、洗浄に用いた液体を口内から安定して排出することが可能となり、口内に挿入して水流を用い歯及び歯茎の洗浄を行つても、安全に洗浄できる洗浄具を実現することができる。
【発明を実施するための最良の形態】
【００１５】
以下、図面に示す実施の形態により、本発明を詳細に説明する。
【００１６】
図１は、本発明に係る歯及び歯茎を洗浄するための洗浄具の要部を図示するものであり、本発明の洗浄具は口に咥えることが可能な大きさの洗浄具であり、本発明の洗浄具は洗浄具頭部１１と、液体を洗浄具頭部１１に注入するための経路となる管２０と、洗浄具頭部１１と管２０を連結するジョイント部３０から成る。
【００１７】
洗浄具頭部１１は、歯が入ることが可能な凹部１２を有し、口に入れることが可能な大きさの構造体であり、凹部１２の面に複数の噴出孔１４を有すると共に、凹部以外の外面であるＡ面に１つ以上の吸入口１３を有し、凹部面の孔と凹部以外の外面の孔とが洗浄具頭部１１の内部において連結管１５により繋がった状態にあり、矢印が示すように、外面の吸入口１３から液体が入り、凹部面の噴出孔１４から液体が噴出される構造となっている。
【００１８】
噴出孔１４は、凹部の洗浄具頭部前列１１ａ面、凹部の洗浄具頭部後列１１ｂ面、凹部の底面に、一つの歯に対しそれぞれ１つ以上の割合で構成され、歯に液流が当たる部分に相当する凹部中下部に配置される凹部の洗浄具頭部前列１１ａ面の噴出孔１４ａ、凹部の洗浄具頭部後列１１ｂ面の噴出孔１４ｂは、歯の先端方向に向け水平軸に対し０°から４５°の傾斜が設けられており、歯と歯茎に境界部に位置する凹部上部おいては、噴出孔１４ａ・１４ｂには、歯の先端方向に向け水平軸に対しマイナス３０°から２０°の傾斜が設けられている。
【００１９】
また、凹部の洗浄具頭部前列１１ａ面、凹部の洗浄具頭部後列１１ｂ面に一つの歯に対しそれぞれ１つ以上の割合で構成される噴出孔１４ａ・１４ｂは、それぞれ一つの歯に対し、歯面と、歯と歯の隙間の２箇所に液体を噴出するように構成することが望ましく、洗浄対象者の歯形状に応じて配置を設定するとなお良い。
【００２０】
また、洗浄具頭部１１は高分子素材から成り、歯及び歯茎に接する部分は、シリコーン、ゴム等の素材が好ましい。
【００２１】
なお、本洗浄具を用い洗浄する時は、洗浄具頭部１１の凹部１２を歯並びに歯茎に被せ噴出孔１４から噴出する液体により、歯並びに歯茎の洗浄を行うが、この時の液体は水でも、歯の洗浄用の溶液を含む液体であってもよく、水道管に管２０を繋いだ状態で使用する方法を取っても、容器に入った液体を加圧し、洗浄具に送る方法を取ってもよい。
【００２２】
図２は、本発明に係る歯及び歯茎を洗浄するための洗浄具の要部を図示するものであり、洗浄具頭部１１は、歯が入ることが可能な凹部１２が、洗浄具頭部１１の上下２面に構成されており、上下の歯並びに歯茎を一度に洗浄するために有用な構造となっている。
【００２３】
図３は、本発明に係る歯及び歯茎を洗浄するための洗浄具の平面図を図示するものであり、洗浄具頭部１１は、洗浄具頭部１１の凹部１２が歯並び状のＵ字溝１６となっており、洗浄具頭部１１のＵ字溝１６を上段あるいは下段の歯及び歯茎全体に一度に被せ、噴出孔１４から噴出する液体により、歯並びに歯茎の洗浄を行うことができる。
【００２４】
また、歯並び状のＵ字溝１６を、洗浄具頭部１１の上下面に設けると、上下段の歯並びに歯茎全体を一度に洗浄することができる。
【００２５】
なお、歯並び状のＵ字溝１６形状を、洗浄すべき対象者の歯並びに合わせ個別に設定すると洗浄効果は向上する。
【００２６】
図４は、本発明に係る歯及び歯茎を洗浄するための洗浄具の平面図を図示するものであり、洗浄具頭部１１は、凹部１２が歯並び状のＵ字溝１６となっており、このＵ字溝１６の面には、洗浄するための液体を噴出するための噴出孔１４と洗浄に使用した液体と洗浄物を口外に排出するための排出孔１８が設けられた構造となっている。
【００２７】
なお、図４におけるｐ-ｑ断面を図６、図１０に、ｍ-ｎ断面を図７、図１１に、ｒ−ｓ断面を図８、図１２に示す。
【００２８】
図５は、本発明に係る歯及び歯茎を洗浄するための洗浄具の要部を図示するものであり、図４を補足するための図である。
【００２９】
図５において、洗浄具頭部１１は、歯並び状のＵ字溝１６を有しており、このＵ字溝１６の面には、洗浄するための液体を噴出するための噴出孔１４と洗浄に使用した液体と洗浄物を口外に排出するための排出孔１８が設けられ、吸入口１３より入った液体は矢印で示す如く、連結管１５を通り、Ｕ字溝１４に設けられた噴出孔１４へと繋がる経路からＵ字溝に噴出され、歯及び歯茎を洗浄し、洗浄排水はＵ字溝１４に設けられた排出孔１８から排出孔１８と繋がる排出口１７の経路を通り口外に排出される。
【００３０】
また、排出口１７の出口面積は、排出孔１８の総孔面積より大きく、排出孔１８の総孔面積は、噴出孔１４の総孔面積より大きく設定されている。
【００３１】
なお、図５の如くＵ字溝１６が洗浄具頭部１１の上下面に設けられた構造の洗浄具頭部１１においては、洗浄時洗浄具頭部１１を上下の歯でくわえた状態で洗浄するため、洗浄排水の排出機能は安全面において非常に重要な要素となる。
【００３２】
図６は図４におけるｐ-ｑ断面を図示するものであり、吸入口１３から噴出孔１４への液体の流れを示している。
【００３３】
図７は図４におけるｍ-ｎ断面を図示するものであり、連結管１５から噴出孔１４への液体の流れを示している。
【００３４】
図８は図４におけるｒ−ｓ断面を図示するものであり、凹部１２に設けられた排出孔１８から排出口１７への洗浄廃液の流れを示している。
【００３５】
図９は本発明に係る歯及び歯茎を洗浄するための洗浄具の要部を図示するものであり、排出孔１８を後面Ｂにも設けた構造を示すものである。
【００３６】
図１０は図４において排出孔１８ｂを後面Ｂにも設けた場合のｐ-ｑ断面を図示するものであり、吸入口１３から噴出孔１４への液体の流れを示している。
【００３７】
図１１は図４において排出孔１８ｂを後面Ｂにも設けた場合のｍ-ｎ断面を図示するものであり、連結管１５から噴出孔１４への液体の流れを示している。
【００３８】
図１２は図４において排出孔１８ｂを後面Ｂにも設けた場合のｒ−ｓ断面を図示するものであり、本洗浄頭部１１は、凹部１２に設けられた排出孔１８ａと排出口１７が洗浄具頭部１１の内部で繋がった排出経路と、後面Ｂに設けられた排出孔１８ｂと排出口１７が洗浄具頭部１１の内部で繋がったもう一つの排出経路を有しており、後面Ｂにも排出孔１８ｂを設けることにより、洗浄頭部後列１１ｂを超えて口内に入った液体と排出物を口外に排出しやすい構造となっている。
【００３９】
図１３は本発明に係る歯及び歯茎を洗浄するための洗浄具の要部を図示するものであり、本洗浄具は、洗浄具頭部１１の吸入口１３を延ばした構造であっても本洗浄具の機能を妨げるものでなく、この延長部を手で持ちやすい形状にすることも有用である。
【００４０】
また、この延長部に液体の供給を制御するための水流弁４０を設け、弾性体４１と、ボタン４２を用い、洗浄する時のみ、水流が洗浄頭部に供給され、ボタン４２から手を離すと、液体の供給を静止させる機構を備えた構造にすると、操作性あるいは、安全面からも非常に有用である。
【００４１】
なお、この弾性体４１と、ボタン４２からなる液体の供給を制御するための水流弁４０を、洗浄具頭部１１の吸入口１３部を延長した延長部に設けず、洗浄具の管２０に別途設けてもよい。
【００４２】
また、本洗浄具の本洗浄具頭部１１の前面Ａに構成されている吸入口１３は、ジョイント部３０において管２０と突合せ状態で接合した状態を図示しているため、吸入口１３が本洗浄具頭部１１の前面Ａより突き出した形状となっているが、本発明の洗浄具頭部１１の前面Ａにおける吸入口１３の形状はこの形状に規定されるものでなく、吸入口１３と管２０の接合を凹凸の関係あるいは、ねじ込みの関係としてもよく、その場合は、吸入口１３が本洗浄具頭部１１の前面Ａより突き出でた形状となっていなくてよい。
【図面の簡単な説明】
【００４３】
【図１】本発明に係る洗浄具の使用時の要部斜視図と要部拡大斜視図である。
【図２】本発明に係る洗浄具の要部斜視図である。
【図３】本発明に係る洗浄具の要部平面図である。
【図４】本発明に係る洗浄具の要部平面図である。
【図５】本発明に係る洗浄具の要部斜視図である。
【図６】本発明に係る洗浄具の要部断面図である。
【図７】本発明に係る洗浄具の要部断面図である。
【図８】本発明に係る洗浄具の要部断面図である。
【図９】本発明に係る洗浄具の要部斜視図である。
【図１０】本発明に係る洗浄具の要部断面図である。
【図１１】本発明に係る洗浄具の要部断面図である。
【図１２】本発明に係る洗浄具の要部断面図である。
【図１３】本発明に係る洗浄具の要部断面図である。
【符号の説明】
【００４４】
１１：洗浄具頭部
１１ａ：洗浄具頭部前列
１１ｂ：洗浄具頭部後列
１２：凹部
１３：吸入口
１４・１４ａ・１４ｂ・１４ｃ：噴出孔
１５・１５ａ・１５ｂ・１５ｃ・１５ｄ：連結管
１６：Ｕ字溝
１７：排出口
１８・１８ａ・１８ｂ：排出孔
１９：延長部
２０：管
３０：ジョイント部
４０：水流弁
４１：弾性体
４２：ボタン
５０：人体頭部
５１：人体口部
５２：歯部
【図１】
2006020887.tif 000003
【図２】
2006020887.tif 000004
【図３】
2006020887.tif 000005
【図４】
2006020887.tif 000006
【図５】
2006020887.tif 000007
【図６】
2006020887.tif 000008
【図７】
2006020887.tif 000009
【図８】
2006020887.tif 000010
【図９】
2006020887.tif 000011
【図１０】
2006020887.tif 000012
【図１１】
2006020887.tif 000013
【図１２】
2006020887.tif 000014
【図１３】
2006020887.tif 000015